【事件の表示】
　特願２０１５−１７６８７５号「遊技機」拒絶査定不服審判事件〔平成２８年１月１４日出願公開、特開２０１６−５６７２号〕について、次のとおり審決する。
【結　論】
　本件審判の請求は、成り立たない。
【理　由】
第１　手続の経緯
　本願は、平成２０年１０月３１日に出願した特願２００８−２８１７０６号の一部を平成２５年１１月１１日に新たな特許出願（特願２０１３−２３３０２１号）とし、さらにその一部を平成２７年９月８日に新たな特許出願（特願２０１５−１７６８７５号）としたものであって、平成２８年９月５日付けで拒絶の理由が通知され、同年１１月１４日に意見書及び手続補正書が提出され、平成２９年４月１１日付けで最後の拒絶の理由が通知され、同年６月１６日に意見書及び手続補正書が提出されたところ、同年１０月２７日付け（発送日：同年１１月７日）で、同年６月１６日付け手続補正が却下されるとともに拒絶査定がなされ、それに対して、平成３０年２月７日に拒絶査定不服審判の請求がなされると同時に手続補正がなされ、その後、同年１０月３０日に上申書が提出され、これに対し、当審において、令和１年５月１６日付けで拒絶の理由が通知され、同年７月１６日に意見書及び手続補正書が提出されたものである。
第２　本願発明　
　本願の請求項１に係る発明（以下、「本願発明」という）は、令和１年７月１６日付け提出の手続補正書により補正された特許請求の範囲の請求項１に記載される以下のとおりのものと認める（Ａ〜Ｅは分説のため当審で付した。）。
（本願発明）
「【請求項１】
　Ａ　遊技球が流下する遊技領域を形成する遊技部材を備えた遊技機において、
　Ｂ　前記遊技部材は、
　Ｂ−１　前記遊技領域の少なくとも一部の領域に遊技機正面視で前後に重なる前側遊技領域と後側遊技領域とを有し、
　Ｂ−２　前記前側遊技領域と前記後側遊技領域とは遊技機正面視で表示装置における表示画面の前方を塞がない位置であって、前記表示画面に重ならない位置に備えられ、
　Ｃ　前記前側遊技領域は、無色透明な樹脂で形成されたものであり、
　Ｄ　前記後側遊技領域は、
　Ｄ−１　遊技球が衝突または接触することで遊技球の流下経路を形成する部材であって導光性のある導光部と、
　Ｄ−２　前記導光部の遊技機裏面側より光を入射する光入射手段と、を備え、
　Ｄ−３　前記導光部は、前記光入射手段から入射された光の少なくとも一部を前記前側遊技領域側へ導光し、
　Ｂ−３　前記遊技部材は、遊技球が前記前側遊技領域を流下可能な状態と遊技球が前記後側遊技領域に案内される状態とに変移する案内手段を備える
　Ｅ　ことを特徴とする遊技機。」
第３　拒絶の理由の概要
　当審拒絶理由は、平成３０年２月７日に提出された手続補正書により補正がされた請求項１に係る発明は、本願の出願前に日本国内又は外国において、頒布された以下の引用文献１に記載された発明及び周知の技術に基づいて、その出願前にその発明の属する技術分野における通常の知識を有する者が容易に発明をすることができたものであるから、特許法第２９条第２項の規定により特許を受けることができない、というものである。
　引用文献１：特開平７−２５０９５４号公報
（当審拒絶理由では、周知の技術の例示として、
　引用文献２：特開２００３−１５９３８３号公報
　引用文献３：特開平１１−５７１２４号公報
　引用文献４：特開２００８−２５９７４０号公報
　引用文献５：特開２００８−１０４５８４号公報
を例示している。）
第４　引用文献に記載された事項
　当審拒絶理由に引用され、本願の出願前に頒布された上記引用文献１には、「遊技機」の発明に関し、図面と共に以下の事項が記載されている（下線は当審で付した。）。
（１）「【００２４】
　【実施例】以下、本発明の実施例を図面にもとづいて説明する。図１は代表的な遊技機である
パチンコ遊技機
」
（２）「【００２５】
　
遊技盤１は
略円形の遊技領域６を形成し、該遊技領域６内の略上半部分に略半円形の貫通開口部７を開設し、該貫通開口部７に表示部前面領域保護ユニット２を嵌合し
ほぼ中央に
可変表示装置３
画像表示部８を前面に向け、該画像表示部８に対応する位置、即ち前方に画像表示部８を覆う状態で形成した表示保護面９
【００２６】
　
表示部前面領域保護ユニット２は、
画像表示部８に対応する位置に画像表示部８を覆う状態で形成された
表示保護面９
表示保護面９の外方に配設され、遊技盤１の遊技領域６とほぼ面一状に延在して遊技球障害部材を形成した透光プラスチック製の第１球案内面１５
表示保護面９の外方に配設され、第１球案内面１５の奥（後方）に遊技球の直径以上の間隙を配して第１球案内面１５とほぼ平行に延在して遊技球障害部材を形成した第２球案内面１６
第１球案内面１５は貫通開口部７より少し大きな略半円形に形成して貫通開口部７を閉塞できるようにし
第２球案内面１６は貫通開口部７内に嵌合できる大きさの略半円形に形成し
【００２７】
　本実施例では表示保護面９を第２球案内面１６のほぼ中央に該第２球案内面１６と一体成形してあるので、
第１球案内面１５は、表示保護面９に対応する部分に四角形の開口部１９を開設し、該開口部１９の上開口縁に沿って庇状の球受部２０を突設するとともに前記球流入口１７を横長に開設し、球受部２０の左右端部から下方に側部区画壁２１を前方に突出した状態で縦方向に形成し、
開口部１９の開口縁
から後方に向けて左右の仕切り側壁２２，上仕切り壁２３、及び下仕切り壁２４をそれぞれ延設し
第１球案内面１５の表面には遊技球の流下方向に影響を与える遊技球障害部材としての障害柱２８を
突設し、風車２９を開口部１９の横に
配置し
・・・
【００３０】
　上記した構成からなる第１球案内面１５の後方に止着する
第２球案内面１６は、ほぼ中央の少し下部寄りに可変表示装置３の前面部分が嵌合する大きさの窪部３２を一体成型し、前方に突出した該窪部３２の底部を表示保護面９とし、この表示保護面９の左右に位置する表面に遊技球障害部材として障害柱３３を前方に向けて突設する
・・・
【００３３】
　上記した第１球案内面１５と第２球案内面１６とを組み付けるには、図５に示すように、
第２球案内面１６の前面を第１球案内面１５の裏側に臨ませ、第２球案内面１６の周縁に開設した止着孔内に
ネジを挿通して該ネジの先端を第１球案内面１５の裏側の
ネジ孔内に締め込んで止着
表示部前面領域保護ユニット２を組み立て
【００３４】
　上記した表面部前面領域保護ユニット２を遊技盤１に取り付けるには、
遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、これにより貫通開口部７を塞ぎ、第１球案内面１５の周縁に開設してある止着孔内に
ネジを
挿通し
遊技盤１表面に締め込んで止着
【００３５】
　なお、表面部前面領域保護ユニット２を遊技盤１の貫通開口部７に止着する手段は前記ネジ止めに限らず、例えば図８に示すように、第１球案内面１５の外周縁から後方に向けて弾性係止爪３５を一体成型し、この係止爪３５を遊技盤１の貫通開口部７の開口縁に係止させることにより表面部前面領域保護ユニット２を遊技盤１に対して着脱可能な状態で止着するように構成してもよい。表面部前面領域保護ユニット２を遊技盤１に対して着脱可能に止着すると、組立工場での組み付け、および遊技店に設置した後の保守点検作業並びに交換作業が容易である。
【００３６】
　この様にして表面部前面領域保護ユニット２を遊技盤１に取り付けると、第１球案内面１５が遊技盤１の遊技領域６とほぼ面一になり、また、遊技盤１の貫通開口部７内に第２球案内面１６という遊技球の流下路が遊技盤１の厚みの範囲内遊技盤表面に沿って形成される。
」
（３）「【００３７】
　したがって、上記した遊技盤１を装着したパチンコ遊技機で遊技した場合に、
発射された遊技球が遊技領域６の上部に打ち込まれると、
球流入口１７に入らなかった遊技球はそのまま第１球案内面１５を流下し、途中で該第１球案内面１５に突設した障害柱２８や風車２９などに当って流下方向を変換しながら流下し、
【００３８】
　また、
遊技領域６の上部に打ち込まれて球受部２０に受け止められて球流入口１７に入った遊技球は
上仕切り壁２３上を左右いずれかに転動してから左右いずれかの第２球案内面１６に流下し、第２球案内面１６に突設してある障害柱３３に当って流下方向を変換しながら流下し
【００３９】
　第２球案内面１６上を流下して底案内壁２７上に落下した遊技球は、底案内壁２７の下り傾斜によって転動し、球流出口１８から下仕切り壁２４上に排出される。下仕切り壁２４は前方、即ち第１球案内面１５側に極く僅か下り傾斜しているので、排出された遊技球はこの下り傾斜により転動して第１球案内面１５側に戻る。また、下仕切り壁２４には前縁が切り欠かれた凹部２５が形成されているので、排出された遊技球のうち途中で第１球案内面１５側に戻らなかったものはこの凹部２５内に一旦落下し、前方の切り欠かれた部分から第１球案内面１５側に戻る。そして、上記切り欠かれた部分のすぐ下方には始動口１０が配設されているので、凹部２５内に落下した遊技球の多くは始動口１０に向かって流下する。したがって、始動口１０への入賞確率が高まり、遊技者にとって有利になる。また、始動口１０にすぐ下方にはアタッカー１１が配設されているので、このアタッカー１１が開いた状態では、始動口１０に入賞しなかった遊技球がアタッカー１１に入賞し易くなる。
」
（４）「【００４６】
　また、表示保護面９に障害柱４０などの遊技球障害部材を形成し、第２球案内面１６を流下した遊技球を表示保護面９直前を流下させるようにしてもよい。この場合、遊技球障害部材は表示映像に重ならない位置、例えば図１６に示すように、表示保護面９の左右に配置することが望まし。また、第２球案内面１６側に一旦入った遊技球を表示保護面９直前に流下させるために、第１球案内面１５と第２球案内面１６との間の仕切り壁に上球流出口４１を開設する。この様に構成すると、球流入口１７から第２球案内面１６側に入った遊技球の内、その一部の遊技球が上球流出口４１から表示保護面９の直前に排出され、表示保護面９に形成した障害柱４０等に当って流下方向を変換しながら流下する。したがって、遊技球の流下の面白みを一層増大することができ、しかも画像表示の邪魔になることもない。そして、表示保護面９の直前を流下した遊技球は、第１球案内面１５の開口部１９の下縁に形成した下仕切り壁２４上に落下し、ここから第１球案内面１５側に流下する。したがって、前記第１実施例と同様に始動口１０やアタッカー１１などに入賞し易い。
【００４７】
　前述した第１球案内面１５は単に透明なプラスチックで構成したが、
第１球案内面１５及び第２球案内面１６を着色した透光性プラスチックで構成し、第２球案内面１６の裏側に
発光ダイオード等の発光源（バックライト）を設け
第１，第２球案内面１５，１６を広範囲に渡って点灯、或は点滅させる
（５）【００３４】の「表面部前面領域保護ユニット２を遊技盤１に取り付けるには、遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、これにより貫通開口部７を塞ぎ、第１球案内面１５の周縁に開設してある止着孔内に止着手段としてのネジを前方から挿通し、該ネジの先端を遊技盤１表面に締め込んで止着する。」との記載、及び、【００３５】の「なお、表面部前面領域保護ユニット２を遊技盤１の貫通開口部７に止着する手段は前記ネジ止めに限らず、」「第１球案内面１５の外周縁から後方に向けて弾性係止爪３５を一体成型し、この係止爪３５を遊技盤１の貫通開口部７の開口縁に係止させることにより表面部前面領域保護ユニット２を遊技盤１に対して着脱可能な状態で止着するように構成」との記載から、
第１球案内面１５は、遊技盤１に取り付けるための周縁部が形成され
（６）【００２６】の「第１球案内面１５は貫通開口部７より少し大きな略半円形に形成し」、「第２球案内面１６は貫通開口部７内に嵌合できる大きさの略半円形に形成し」との記載、及び、図６、図８における第１球案内面１５と第２球案内面１６の組み付けの断面図及び斜視図から、
周縁部を除いた第１球案内面１５と第２球案内面１６とは同じ大きさ（面積）及び形状である
（７）【００２６】に「表示部前面領域保護ユニット２は、画像表示部８を保護するとともに、遊技球が流下する球案内面を球径以上の間隔を配して前後方向に積層して形成することにより、大きな画像表示部８の設置で狭められた遊技球流下範囲を前後に拡大し、これにより遊技球の流下の面白さを表現できるようにしたものである。」との記載があること、【００３０】の「第２球案内面１６は、ほぼ中央の少し下部寄りに可変表示装置３の前面部分が嵌合する大きさの窪部３２を一体成型し、前方に突出した該窪部３２の底部を表示保護面９とし」との記載と【００２６】の「表示保護面９の外方に配設され、第１球案内面１５の奥（後方）に遊技球の直径以上の間隙を配して第１球案内面１５とほぼ平行に延在して遊技球障害部材を形成した第２球案内面１６」との記載とから、「第２球案内面１６」に「一体成型」される「表示保護面９」の領域は、「表示保護面９の外方に配設され」「遊技球の直径以上の間隙を配して第１球案内面１５とほぼ平行に延在」する領域に比べて、「第１球案内面１５」側に窪んでいる分、「第１球案内面１５」との間隔が狭いこと、「表示保護面９」には遊技球障害部材が形成されないことのほか、【００４６】に「表示保護面９に障害柱４０などの遊技球障害部材を形成し、第２球案内面１６を流下した遊技球を表示保護面９直前を流下させるようにしてもよい。この場合、遊技球障害部材は表示映像に重ならない位置、例えば図１６に示すように、表示保護面９の左右に配置することが望まし（い）。」との、表示保護面９直前を流下させる態様を変形例とする記載があること、を総合すると、
第２球案内面１６に一体成型される表示保護面９には、遊技球が流下しない
　そして、上記（１）〜（４）に記載された事項及び図面に記載された事項、並びに（５）〜（７）の認定事項を総合すると、引用文献１には、次の発明（以下、「引用発明」という。）が記載されていると認められる（ａ〜ｅは、本願発明Ａ〜Ｅに対応させて当審にて付与した。また、丸括弧内に示された段落番号は、引用発明における引用箇所等を示す。）。
（引用発明）
「ａ　遊技球が流下する（【００３７】）略円形の遊技領域６を形成する遊技盤１（【００２５】）を備えたパチンコ遊技機（【００２４】）において、
　ｂ、ｂ−１、ｂ−２　遊技領域６内の略上半部分に略半円形の貫通開口部７を開設し（【００２５】）、
　貫通開口部７に、ほぼ中央に可変表示装置３の画像表示部８を覆う状態で形成した表示保護面９を有する表示部前面領域保護ユニット２を嵌合して塞ぎ（【００２５】）、
　　表示部前面領域保護ユニット２は、第２球案内面１６の前面を第１球案内面１５の裏側に臨ませ、第２球案内面１６の周縁に開設した止着孔内にネジを挿通して該ネジの先端を第１球案内面１５の裏側のネジ孔内に締め込んで止着して組み立てられ（【００３３】、図５）、　
　　遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、貫通開口部７を塞ぎ、第１球案内面１５の周縁に開設してある止着孔内にネジを前方から挿通し、遊技盤１表面に締め込んで止着し（【００３４】）、　
　　　表示保護面９の外方に配設され、遊技領域６とほぼ面一状に延在して遊技球障害部材を形成した透光プラスチック製の第１球案内面１５（【００２６】）は、
　　　　表示保護面９に対応する部分に四角形の開口部１９を開設され（【００２７】）、
　　　　該開口部１９の上開口縁に沿って庇状の球受部２０を突設するとともに球流入口１７を横長に開設され、球受部２０の左右端部から下方に側部区画壁２１を前方に突出した状態で縦方向に形成され、開口部１９の開口縁から後方に向けて左右の仕切り側壁２２、上仕切り壁２３、及び下仕切り壁２４をそれぞれ延設され（【００２７】）、
　　　　遊技球障害部材として障害柱２８を突設され、風車２９を開口部１９の横に配置され（【００２７】）、
　　　　貫通開口部７より少し大きな略半円形に形成して貫通開口部７を閉塞できるよう形成され（【００２６】）、
　　　表示保護面９の外方に配設され、第１球案内面１５の奥（後方）に遊技球の直径以上の間隙を配して第１球案内面１５とほぼ平行に延在して遊技球障害部材を形成した第２球案内面１６（【００２６】）は、
　　　　ほぼ中央の少し下部寄りに一体成型される可変表示装置３の前面部分が嵌合する大きさの窪部３２の底部を表示保護面９（【００３０】）とされ、
　　　　表示保護面９の左右に位置する表面に遊技球障害部材として障害柱３３を前方に向けて突設され（【００３０】）、
　　　　貫通開口部７内に嵌合できる大きさの略半円形に形成され（【００２６】）、
　　　第１球案内面１５には遊技盤１に取り付けるための周縁部が形成され（認定事項（５））、
　　　周縁部を除いた第１球案内面１５と第２球案内面１６とは同じ大きさ（面積）及び形状であり（認定事項（６））、
　発射された遊技球が遊技領域６の上部に打ち込まれると、球流入口１７に入らなかった遊技球はそのまま第１球案内面１５を流下し、途中で該第１球案内面１５に突設した障害柱２８や風車２９などに当って流下方向を変換しながら流下し（【００３７】）、
　遊技領域６の上部に打ち込まれて球受部２０に受け止められて球流入口１７に入った遊技球は、上仕切り壁２３上を左右いずれかに転動してから左右いずれかの第２球案内面１６に流下し、第２球案内面１６に突設してある障害柱３３に当って流下方向を変換しながら流下し（【００３８】）、第２球案内面１６に一体成型される表示保護面９には遊技球が流下せず（認定事項（７））、
　ｃ　第１球案内面１５及び第２球案内面１６を着色した透光性プラスチックで構成し（【００４７】）、
　ｄ、ｄ−２、ｄ−３　第２球案内面１６の裏側に発光ダイオード等の発光源（バックライト）を設け（【００４７】）、着色した透光性プラスチックで構成される第１，第２球案内面１５，１６を点灯、或は点滅させ装飾し（【００４７】）、
　ｂ−３ 第１球案内面１５には、開口部１９の上開口縁に沿って庇状の球受部２０とともに開設され（【００２７】）、球受部２０に受け止められた遊技球を第２球案内面１６に流入させる球流入口１７（【００２６】、【００３８】）を備える
　ｅ　パチンコ遊技機（【００２４】）。」
第５　本願発明と引用発明の対比
　本願発明と引用発明とを分説にしたがって対比する。
（ａ）引用発明の「遊技球が流下する略円形の遊技領域６」及び「遊技盤１」は、それぞれ、本願発明の「遊技球が流下する遊技領域」及び「遊技部材」に相当する。
　してみると、引用発明の構成ａは、本願発明の構成Ａに相当する。
（ｂ、ｂ−１）引用発明の「第１球案内面１５」のうち、「遊技盤１に取り付けるための周縁部」と、「表示保護面９に対応する部分」に「開設」される「四角形の開口部１９」とを除く領域は、「遊技領域６とほぼ面一状に延在し」、「球流入口１７に入らなかった遊技球」が「途中で該第１球案内面１５に突設した障害柱２８や風車２９などに当って流下方向を変換しながら流下」する領域であるから、「遊技領域」としての機能を有する（以下、「第１球案内面１５の遊技領域」という。）。
　ここで、「表示部前面領域保護ユニット２」は、「第２球案内面１６の前面を第１球案内面１５の裏側に臨ませ」「組み立てられ」、「遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合」するという組み立て構造であることから、「第１球案内面１５」は、遊技機の前側に配置される（当該配置については、図２、図３、図５からも明らかである。）。
　そして、「第１球案内面１５の遊技領域」は「第１球案内面１５」内の領域であることは明らかである。
　したがって、引用発明の「第１球案内面１５の遊技領域」は、本願発明の「前側遊技領域」に相当する。
　引用発明の「表示保護面９の外方に配設され」る「第２球案内面１６」は、「球流入口１７に入った遊技球」が「上仕切り壁２３上を左右いずれかに転動してから左右いずれかの第２球案内面１６に流下」し、「第２球案内面１６に突設してある障害柱３３に当って流下方向を変換しながら流下」する領域を有する一方で、「第２球案内面１６に一体成型される表示保護面９には遊技球が流下せず」とあるように、「表示保護面９」の領域には遊技球は流下しない。
　すなわち、「第２球案内面１６」のうち、「一体成型」される「表示保護面９」を除いた「表示保護面９の外方に配設」される領域については、「遊技領域」としての機能を有する（以下、「第２球案内面１６の遊技領域」という。）。
　そして、「第２球案内面１６の遊技領域」は、「第１球案内面１５の奥（後方）」に「第１球案内面１５とほぼ平行に延在」する「第２球案内面１６」内の領域であるから、「第１球案内面１５の遊技領域」（前側遊技領域）の後方に配置される。
　したがって、引用発明の「第２球案内面１６の遊技領域」は、本願発明の「後側遊技領域」に相当する。
　ここで、引用発明の、
　「第１球案内面１５」及び「第２球案内面１６」は、いずれも、「表示保護面９の外方に配設」されること、
　「第１球案内面１５」は「貫通開口部７より少し大きな略半円形」であること、
　「第２球案内面１６」は「貫通開口部７内に嵌合できる大きさの略半円形」であること、
　「第１球案内面１５には遊技盤１に取り付けるための周縁部が形成され、周縁を除いた第１球案内面１５と第２球案内面１６とは同じ大きさ（面積）及び形状」であること、
　「第１球案内面１５」及び「第２球案内面１６」は、「第２球案内面１６の前面を第１球案内面１５の裏側に臨ませ」「組み立て」、「遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、貫通開口部７を塞」ぐ配置構造であること、
　を総合すると、引用発明の「第１球案内面１５の遊技領域」と「第２球案内面１６の遊技領域」の形状及び配置関係は、本願発明の「前側遊技領域」と「後側遊技領域」が「遊技機正面視で前後に重なる」との形状及び配置関係に相当する。
　さらに、引用発明の「第１球案内面１５」と「第２球案内面１６」から「組み立てられ」る「表示部前面領域保護ユニット２」が「嵌合」される「遊技領域６内の略上半部分に開設する略半円形の貫通開口部７」の領域は、「遊技領域６」（遊技領域）の一部の領域に他ならないから、本願発明の「遊技領域の少なくとも一部の領域」に相当する。
　してみると、引用発明の構成ｂ、ｂ−１の、
　「表示保護面９の外方に配設され、遊技領域６とほぼ面一状に延在」し、
　「表示保護面９に対応する部分」に「開設され」る「四角形の開口部１９」を除く「遊技球障害部材として障害柱２８を突設し、風車２９を開口部１９の横に配置」する領域であって、「（第１球案内面１５に開設される）球流入口１７に入らなかった遊技球」が「途中で該第１球案内面１５に突設した障害柱２８や風車２９などに当って流下方向を変換しながら流下」する領域を有し、
　「貫通開口部７より少し大きな略半円形」で「遊技盤１に取り付けるための周縁部が形成され」、「周縁部を除いた第１球案内面１５と第２球案内面１６とは同じ大きさ（面積）及び形状」である
　「第１球案内面１５」と、
　「表示保護面９の外方に配設され、第１球案内面１５の奥（後方）に遊技球の直径以上の間隙を配して第１球案内面１５とほぼ平行に延在し」、
　「ほぼ中央の少し下部寄りに一体成型される可変表示装置３の前面部分が嵌合する大きさの窪部３２の底部を表示保護面９とし、この表示保護面９の左右に位置する表面に遊技球障害部材として障害柱３３を前方に向けて突設」する領域であって、
　「（第１球案内面１５に開設される）球流入口１７に入った遊技球」が「（第１球案内面１５に形成される）上仕切り壁２３上を左右いずれかに転動してから左右いずれかの第２球案内面１６に流下」し「突設してある障害柱３３に当って流下方向を変換しながら流下」する領域を有し、
　「第２球案内面１６に一体成型される表示保護面９には遊技球が流下せず」、
　「貫通開口部７内に嵌合できる大きさの略半円形」である
　「第２球案内面１６」とを、
　「第２球案内面１６の前面を第１球案内面１５の裏側に臨ませ」「組み立て」、「遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、貫通開口部７を塞」ぐとの事項は、
　本願発明の構成Ｂ、Ｂ−１の「前記遊技部材は、前記遊技領域の少なくとも一部の領域に遊技機正面視で前後に重なる前側遊技領域と後側遊技領域とを有し」との事項に相当する。　
（ｂ−２）引用発明の「可変表示装置３」及び「画像表示部８」は、それぞれ、本願発明の「表示装置」及び「表示画面」に相当する。
　ここで、上記（ｂ、ｂ−１）にて説示したように、引用発明の「第１球案内面１５の遊技領域」（前側遊技領域）は、「第１球案内面１５」のうち、「遊技盤１に取り付けるための周縁部」と、「表示保護面９に対応する部分」に「開設」される「四角形の開口部１９」とを除く領域であるから、引用発明の「第１球案内面１５の遊技領域」（前側遊技領域）は、遊技機正面視で「可変表示装置３」（表示装置）の「画像表示部８」（表示画面）の前方を塞がず、「画像表示部８」（表示画面）に重ならない。
　したがって、引用発明の「第１球案内面１５の遊技領域」（前側遊技領域）は、本願発明の「前記前側遊技領域」「は遊技機正面視で表示装置における表示画面の前方を塞がない位置であって、前記表示画面に重ならない」との構成を具備する。
　また、上記（ｂ、ｂ−１）にて説示したように、引用発明の「第２球案内面１６の遊技領域」（後側遊技領域）は、「第２球案内面１６」に「一体成型」される「表示保護面９」を除いた「表示保護面９の外方に配設」される領域であるから、引用発明の「第２球案内面１６の遊技領域」（後側遊技領域）が、遊技機正面視で「可変表示装置３」（表示装置）の「画像表示部８」（表示画面）の前方を塞がず、「画像表示部８」（表示画面）に重ならない。
　したがって、引用発明の「第２球案内面１６の遊技領域」（後側遊技領域）は、本願発明の「前記後側遊技領域」「は遊技機正面視で表示装置における表示画面の前方を塞がない位置であって、前記表示画面に重ならない」との構成を具備する。
　よって、引用発明の「表示部前面領域保護ユニット２」が「第２球案内面１６の前面を第１球案内面１５の裏側に臨ませ」「組み立てられ」、「遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合」するとの組み立て構造による「第１球案内面１５の遊技領域」（前側遊技領域）と「第２球案内面１６の遊技領域」（後側遊技領域）との配置関係は、本願発明の「前記前側遊技領域と前記後側遊技領域とは遊技機正面視で表示装置における表示画面の前方を塞がない位置であって、前記表示画面に重ならない位置に備えられ」との配置関係を具備する。
　してみると、引用発明の構成ｂ−２の、
　「表示保護面９の外方に配設され、遊技領域６とほぼ面一状に延在」し、
　「表示保護面９に対応する部分」に「開設され」る「四角形の開口部１９」を除く「遊技球障害部材として障害柱２８を突設し、風車２９を開口部１９の横に配置」する領域であって、「（第１球案内面１５に開設される）球流入口１７に入らなかった遊技球」が「途中で該第１球案内面１５に突設した障害柱２８や風車２９などに当って流下方向を変換しながら流下」する領域を有し、
　「貫通開口部７より少し大きな略半円形」で「遊技盤１に取り付けるための周縁部が形成され」、「周縁部を除いた第１球案内面１５と第２球案内面１６とは同じ大きさ（面積）及び形状」である
　「第１球案内面１５」と、
　「表示保護面９の外方に配設され、第１球案内面１５の奥（後方）に遊技球の直径以上の間隙を配して第１球案内面１５とほぼ平行に延在し」、
　「ほぼ中央の少し下部寄りに一体成型される可変表示装置３の前面部分が嵌合する大きさの窪部３２の底部を表示保護面９とし、この表示保護面９の左右に位置する表面に遊技球障害部材として障害柱３３を前方に向けて突設」する領域であって、
　「（第１球案内面１５に開設される）球流入口１７に入った遊技球」が「（第１球案内面１５に形成される）上仕切り壁２３上を左右いずれかに転動してから左右いずれかの第２球案内面１６に流下」し「突設してある障害柱３３に当って流下方向を変換しながら流下」する領域を有し、
　「第２球案内面１６に一体成型される表示保護面９には遊技球が流下せず」
　「貫通開口部７内に嵌合できる大きさの略半円形」である
　「第２球案内面１６」とを、
　「第２球案内面１６の前面を第１球案内面１５の裏側に臨ませ」「組み立て」、「遊技盤１の貫通開口部７の前方から表面部前面領域保護ユニット２の後部、即ち第２球案内面１６の裏側を臨ませ、この状態で第１球案内面１５の周縁の裏面が遊技盤１表面に当接するまで後退させて貫通開口部７内に嵌合し、貫通開口部７を塞」ぐとの事項は、
　本願発明の構成Ｂ−２の「前記前側遊技領域と前記後側遊技領域とは遊技機正面視で表示装置における表示画面の前方を塞がない位置であって、前記表示画面に重ならない位置に備えられ」る事項に相当する。
　
（ｃ）引用発明の「第１球案内面１５」が「着色した透光性プラスチックで構成される」ことは、本願発明の「前側遊技領域」に相当する部材（上記（ｂ、ｂ−１）の説示参照）が、着色されて有色であるものの、透明な樹脂で形成されることを意味する。
　してみると、引用発明の構成ｃと、本願発明の構成Ｃとは、「前記前側遊技領域は、」「透明な樹脂で形成されたもの」である点で共通する。
（ｄ、ｄ−２、ｄ−３）引用発明の「第２球案内面１６の裏側」は「遊技機裏面側」に相当する。　
　ここで、引用発明の「発光ダイオード等の発光源（バックライト）」は、「第２球案内面１６の裏側」（遊技機裏面側）に設けられること以外に、その具体的な実装手段について特定されていないが、バックライトのような照明に用いる発光ダイオード等の発光源の実装に際し、発光ダイオード等の発光源を基板に実装し、当該基板を発光ダイオード等の発光源からの光を意図する照射方向以外は遮光するケース内に配置することは技術常識であるから、引用発明の「発光ダイオード等の発光源（バックライト）」も当該実装手段を有することは自明である。
　一方、本願の【０１１９】には「光入射部材８０は、図８，図１０，図１１に示すように、前面側に複数個の発光ダイオード（ＬＥＤ８１）を実装したＬＥＤ実装基板８２と、このＬＥＤ実装基板８２が内側に取り付けられたケース部品８３とを備え」との記載があり、同【０１２１】には「上述した光入射部材８０が本発明における光入射手段に相当し、」との記載があることから、本願発明の「光入射手段」は、発光ダイオード（ＬＥＤ８１）、発光ダイオード（ＬＥＤ８１）を実装したＬＥＤ実装基板８２及びケース部品８３から構成されるものと解される。
　そうすると、引用発明の「発光ダイオード等の発光源（バックライト）」は、本願発明の「光入射手段」に相当する。
　また、引用発明の「発光ダイオード等の発光源（バックライト）」（光入射手段）が設置される領域は、「第２球案内面１６の裏側」（遊技機裏面側）の領域であること以外に特定されていないが、引用発明の「発光ダイオード等の発光源（バックライト）」（光入射手段）の「着色した透光性プラスチックで構成される第１，第２球案内面１５，１６を点灯、或は点滅させ装飾」する機能と、引用発明の「表示保護面９」が、「第２球案内面１６」に「一体成型」される「可変表示装置３の前面部分が嵌合する」「窪部３２」である構造とに鑑み、引用発明の「発光ダイオード等の発光源（バックライト）」（光入射手段）が配置される領域は、「第２球案内面１６」の裏側の領域のうち、「表示保護面９」を除いた「第２球案内面１６の遊技領域」（後側遊技領域）であることは明らかである。
　したがって、引用発明の「第２球案内面１６の裏側に発光ダイオード等の発光源（バックライト）を設け」ることは、本願発明の「前記後側遊技領域は」「遊技機裏面側より光を入射する光入射手段を」「備える」ことに相当する。
　してみると、引用発明の構成ｄ、ｄ−２、ｄ−３と、本願発明の構成Ｄ、Ｄ−２、Ｄ−３とは、「前記後側遊技領域は」「遊技機裏面側より光を入射する光入射手段を」「備える」点で共通する。
（ｂ−３）引用発明の「球流入口１７」は、「球受部２０に受け止められた遊技球を第２球案内面１６に流入させる」ものであるから、遊技球を「第１球案内面１５の遊技領域」（前側遊技領域）を流下する状態と、遊技球を「第２球案内面１６の遊技領域」（後側遊技領域）を流下する状態とに振り分ける振り分け手段に他ならない。
　してみると、引用発明の構成ｂ−３は、本願発明の構成Ｂ−３と「前記遊技部材は、遊技球が前記前側遊技領域を流下」するか、「遊技球が前記後側遊技領域に流下」するかを振り分ける振り分け手段を備える点で共通する。
（ｅ）引用発明の「パチンコ遊技機」は、遊技機の一種に他ならないから、本願発明の「遊技機」に相当する。
　してみると、引用発明の構成ｅは、本願発明の構成Ｅに相当する。
　そうすると、上記（ａ）〜（ｅ）によれば、本願発明と引用発明との一致点及び相違点は以下のとおりである。
（一致点）
「Ａ　遊技球が流下する遊技領域を形成する遊技部材を備えた遊技機において、
　Ｂ　前記遊技部材は、
　Ｂ−１　前記遊技領域の少なくとも一部の領域に遊技機正面視で前後に重なる前側遊技領域と後側遊技領域とを有し、
　Ｂ−２　前記前側遊技領域と前記後側遊技領域とは遊技機正面視で表示装置における表示画面の前方を塞がない位置であって、前記表示画面に重ならない位置に備えられ、
　Ｃ’　前記前側遊技領域は、透明な樹脂で形成されたものであり、
　Ｄ’　前記後側遊技領域は、遊技機裏面側より光を入射する光入射手段を備え、
　Ｂ−３’　前記遊技部材は、遊技球が前記前側遊技領域を流下するか、遊技球が前記後側遊技領域を流下するかを振り分ける振り分け手段を備える
　Ｅ　遊技機。」
（相違点１）（構成Ｃについて）
　本願発明は、前側遊技領域を構成する透明な樹脂が「無色透明な樹脂」であるのに対し、引用発明は、同領域を構成する樹脂が「着色した透光性プラスチック」であって、「第２球案内面１６の裏側」（遊技機裏面側）に配置される「発光ダイオード」（光入射手段）からの光で「点灯、或は点滅」する程度の透明度は有する（引用発明の構成ｄ、ｄ−２、ｄ−３参照）ものの、「無色」ではない点。
（相違点２）（構成Ｄ、Ｄ−１、Ｄ−２、Ｄ−３について）
　本願発明は、「前記後側遊技領域」が「遊技球が衝突または接触することで遊技球の流下経路を形成する部材であって導光性のある導光部」を備え、「前記導光部は、（前記導光部の遊技機裏面側より光を入射する）前記光入射手段から入射された光の少なくとも一部を前記前側遊技領域側へ導光」するとの事項を有するのに対し、
　引用発明は、「第２球案内面１６の遊技領域」（後側遊技領域）の裏面側（遊技機裏面側）に「発光ダイオード等の発光源（バックライト）」（光入射手段）を備え、当該「発光ダイオード等の発光源（バックライト）」（光入射手段）によって「第１，第２球案内面１５，１６を点灯、或は点滅させ装飾」するものの、本願発明のように「遊技球が衝突または接触することで遊技球の流下経路を形成する部材であって導光性のある導光部」を具備するものでなく、それ故、「前記光入射手段から入射された光の少なくとも一部を前記前側遊技領域側へ導光」するとの事項を有しない点。
（相違点３）（構成Ｂ−３について）
　遊技球が前側遊技領域を流下するか遊技球が後側遊技領域を流下するかを振り分ける振り分け手段が、本願発明は、「遊技球が前記前側遊技領域を流下可能な状態と遊技球が前記後側遊技領域に案内される状態とに変移する」との、能動的な振り分け手段であるのに対し、
　引用発明は、「球受部２０に受け止められた遊技球を第２球案内面１６に流入させる」との、受動的な振り分け手段である点。
第６　判断
　上記相違点１〜３について検討する。
１　相違点１及び相違点２について
　上記相違点１及び相違点２とは、遊技領域の光装飾技術に関する点で密接に関連するので、まとめて判断する。なお、判断順序は相違点の順序とは異なる。
　遊技機の技術分野において、発光ダイオードによる光装飾効果を高めるために、遊技機裏面側より光を入射する発光ダイオードから入射された光を、遊技球が衝突または接触することで遊技球の流下経路を形成する部材であって導光性のある柱状導光部によって遊技領域前方へ導光する技術は、本願の遡及日前に周知の技術である（以下、「周知技術１」という。）。
（特開２００３−１５９３８３号公報には、光装飾を高めるために（【００２７】）、棒状の光誘導体８１（本願発明の「導光部」に相当）の後端部を光源９２（ＬＥＤ）と近接させ、ＬＥＤが発する光を拡散を防止しながら前方に透過させる構成（【００１８】、【００２０】、図３、図４）、光誘導体８１が、縦通路部５０ｂを流れる球Ｂに接触してその球Ｂの流速を減速させる減速機能を兼ね備えること（【００２０】、図３）、光源９２（ＬＥＤ）の点灯・点滅時期を図柄変動に関連して設定することで演出効果を高めること（【００２７】）、が記載されている。
　同様に、特開平１１−５７１２４号公報には、電飾効果を得るために（【０００３】）、発光ダイオ−ド１０（光入射手段）からの光を導く光透過部材で形成した長手形状（すなわち、柱状）の光ガイド部材１１（本願発明の「導光部」に相当）の先端より発光ダイオ−ド１０（光入射手段）からの光を発するようにして、従来にない電飾効果を得ること（【００１１】）、また、光ガイド部材１１（導光部）をパチンコ玉をガイドするガイド釘３（本願発明の「遊技球が衝突または接触することで遊技球の流下経路を形成する部材」に相当）としても良いこと（【００１４】）、が記載されている。）
　ここで、引用発明の構成ｄ、ｄ−２、ｄ−３の「第２球案内面１６の裏側に発光ダイオード等の発光源（バックライト）を設け、着色した透光性プラスチックで構成される第１，第２球案内面１５，１６を点灯、或は点滅させ装飾し」との構成から、引用発明は、第１球案内面１５及び第２球案内面１６を用いて装飾するものであるため、引用発明は、装飾効果を向上させるという課題を解決するものである。
　そうすると、引用発明と周知技術１とは、遊技機における装飾効果を向上させるとの、共通の課題を解決するものである。
　したがって、引用発明の「障害柱３３」に柱状導光部に関する周知技術１を適用し、引用発明の「第２球案内面１６」の「表示保護面９の左右に位置する表面に」「突設」される「柱」状の「障害柱３３」を、「第２球案内面１６の遊技領域」（後側遊技領域）の裏面側（遊技機裏面側）に設置される「発光ダイオード等の発光源（バックライト）」（光入射手段）の光を「第１球案内面１５」側へ透過させる柱状導光部として用いることは、当業者にとって容易になし得ることである。
　ここで、引用文献１の【００４７】の「前述した第１球案内面１５は単に透明なプラスチックで構成したが、第１球案内面１５及び第２球案内面１６を着色した透光性プラスチックで構成し、・・・てもよい。」との記載によれば、引用文献１には、第１球案内面１５として、着色のない（すなわち、無色）透明なプラスチック（樹脂）で構成する態様も記載されており、引用発明は、電飾効果を奏する範囲内で「第１球案内面１５」を無色透明から「第１球案内面１５」及び「第２球案内面１６」を有色透明にしたのであるから、「第１球案内面１５」及び「第２球案内面１６」のうち片方だけを有色透明にしても電飾効果はあるものと認められる。
　また、ＬＥＤが発光することで装飾効果を発揮することは自明であるから、「第１球案内面１５」及び「第２球案内面１６」のうち、「第１球案内面１５」が無色透明で電飾効果がなくとも、「第２球案内面１６」とＬＥＤの発光による装飾効果はあるものとなることから、引用発明の「第１球案内面１５」を無色透明とすることは、引用発明に周知技術１を適用するにあたり、装飾効果を奏する範囲内で、当業者が選択する設計的事項にすぎない。
　そして、引用発明の「障害柱３３」に柱状導光部に関する上記周知技術１を適用した際、「第２球案内面１６の裏側」に設ける「発光ダイオード等の発光源（バックライト）」からの光は、「障害柱３３」を介して「第１球案内面１５」に導光されることとなり、「第２球案内面１６」の遊技領域を流下する遊技球によって妨げられることはないから、「第２球案内面１６」の装飾効果を向上させることができることは明らかであり、本願発明の有する「パチンコ機前面側の光が奥側遊技領域７１ａの流下球で遮られることがなく、奥側遊技領域７１ａの流下球で遮られることがない分だけ奥側遊技領域７１ａの発光装飾を向上させることができる。」（本願の【０１２３】参照。）と同様の効果を奏するものである。
　よって、引用発明に、周知技術１を適用して、上記相違点１及び相違点２に係る本願発明の構成とすることは、当業者が容易になし得たものである。
２　相違点３について
　遊技機の技術分野において、遊技機正面視で前後に重なる前側遊技領域と後側遊技領域の間を流下する構造を備えると共に、遊技球の流下する遊技領域について、一方の遊技領域のみ流下する状態と、他方の遊技領域に案内される状態とを、所定の条件によって変移させる案内手段を備えることは、例えば、特開２００８−２５９７４０号公報や特開２００８−１０４５８４号公報に記載されているように、本願の遡及日前に周知の技術である（以下、「周知技術２」という。）。
（特開２００８−２５９７４０号公報の【００３０】、【００３１】、図２−４には、「第２クリア部材４２」（本願発明の「前側遊技領域」に相当）と「遊技盤５」（本願発明の「後側遊技領域」に相当）との遊技機正面視で前後に重なる遊技領域を有する遊技機１において、「第２クリア部材４２」（前側遊技領域）は「導入口４２１」を有し、「遊技盤５」（後側遊技領域）は「導入口４２１」と対応する位置に「誘導部５７ａ」を配置し「上方から流下してきた遊技球を受け止めて導入口に向けて誘導する誘導部材」として機能する「鎧部材５７」を有しており、「遊技盤５」（後側遊技領域）から「第２クリア部材４２」（前側遊技領域）に遊技球を案内する構造の一態様として、「遊技盤５の表面から突出することで流下してきた遊技球を導入口４２１に向けて誘導可能となる誘導状態と、後方に退避することで流下してきた遊技球を導入口４２１に向けて誘導困難あるいは誘導不能となる非誘導状態とに変換可能な誘導部材を設け、所定のタイミングで誘導部材を誘導状態あるいは非誘導状態に変換することにより、導入口４２１への遊技球導入状況を変化させるようにしても良い。」と記載されている。
　同様に、特開２００８−１０４５８４号公報の【００３０】−【００３２】、【００４８】、【００４９】、【００５６】、【０１２８】、図２、３、５、１４には、第１の遊技盤１４ａの「第１の遊技領域１５ａ」（本願発明の「前側遊技領域」に相当）及び「第２の遊技盤１４ｂ」の「第２の遊技領域１５ｂ」（本願発明の「後側遊技領域」に相当）を重合配置される（遊技機正面視で前後に重なる）パチンコ遊技機１０において、「第１の遊技領域１５ａ」（前側遊技領域）には、遊技球を第２の遊技盤１４ｂ側に誘導する遊技球誘導路２９と、遊技球誘導路２９（図５）を開閉する誘導路開閉手段としての遊技球誘導部材２７ａ、２７ｂ（図３。本願発明の「案内手段」に相当）を設け、大当たり遊技終了後の通常遊技状態において、変更抽選によって確率状態が高確率状態から低確率状態に変更されたことを報知する転落報知処理として、遊技球誘導部材２７ａ、２７ｂの開放時間、開放頻度及び開放角度を制御する遊技球誘導部材制御処理を実行（【０１２８】、図１４）し、当選確率が変更された後の所定期間中、遊技球誘導部材２７ａ，２７ｂ（案内手段）を動作させて遊技球誘導路２９を開通し、遊技球を「第１の遊技領域１５ａ」（前側遊技領域）から、この第１の遊技領域よりも多数の入賞口を具備する「第２の遊技領域１５ｂ」（後側遊技領域）へと導く制御を実行することで、転落したことの報知（転落報知）とする（【００３２】）ことが記載されている。）
　ここで、引用発明と上記周知技術２とは、共に、遊技機正面視で前後に重なる前側遊技領域と後側遊技領域を有し、遊技球が前記前側遊技領域を流下するか遊技球が前記後側遊技領域を流下するかを振り分ける振り分け手段としての機能を有する点で共通する。
　そして、遊技機の技術分野において、遊技球が前記前側遊技領域を流下するか遊技球が前記後側遊技領域を流下するかを振り分ける振り分け手段の構成としては、振り分け手段の機能を発揮する頻度を、遊技球のランダムな動きによる偶然に委ねる構成とするか、コントロールする構成とするかの二者択一であるといえる。
　したがって、引用発明における振り分け手段である「球流入口１７」に対し、上記周知技術２に基づき、遊技球が「第１球案内面１５」を遊技球が流下する状態と「第２球案内面１６」を流下する状態とを、所定の条件によって能動的に変移させることによって、上記相違点３における本願発明の特定事項を具備させることに、格別の困難性は認められない。
　よって、引用発明に、周知技術２を適用して、上記相違点３に係る本願発明の構成とすることは、当業者が容易になし得たものである。
３　本願発明が奏する効果について
　本願発明は「前面の遊技領域３０ａとは別の奥側遊技領域７１ａとしても活用でき」ることで、「遊技領域３０ａの減少を低減できるパチンコ機（遊技機）を提供することができる。」（本願の【０１２３】等参照。）との効果を奏するが、引用発明においても、「遊技球が流下する球案内面を球径以上の間隔を配して前後方向に積層して形成することにより、大きな画像表示部８の設置で狭められた遊技球流下範囲を前後に拡大し、これにより遊技球の流下の面白さを表現できるようにしたものである。」（引用文献１の【００２６】等参照。）とあるように、上記本願発明の有する効果と同様の効果を奏する。
　そして、本願発明によってもたらされる作用効果の全体を検討してみても、当業者が、引用発明、周知技術１及び周知技術２から予測し得るものであって、格別のものということはできない。
４　小括
　上記１〜３の検討内容からみて、本願発明は、引用発明、周知技術１及び周知技術２に基づいて、当業者が容易になし得たものである。
５　請求人の主張について
　請求人は、令和１年７月１６日提出の意見書において、本願発明と引用発明とは、少なくとも、「「前記後側遊技領域」は、「遊技球が衝突または接触することで遊技球の流下経路を形成する部材であって導光性のある導光部」を備え、「前記導光部は、前記光入射手段から入射された光の少なくとも一部を前記前側遊技領域側へ導光し、」に相当する構成」を引用発明が備えない点で相違し、当該相違点に関して、引用発明に周知技術１（光入射手段による光装飾効果を高めるために、遊技機裏面側より光を入射す光入射手段から入射された光を、遊技球が衝突または接触することで遊技球の流下経路を形成する部材であって導光性のある導光部によって遊技領域前方へ導光する態様）を適用するとの当審拒絶理由における判断は、本願発明を「前記前側遊技領域は、無色透明な樹脂で形成されたものであり、」と特定する補正により、意見書において「該当しない理由その１」「該当しない理由その２」とする以下の主張から、該当しなくなるため、補正後の本願発明は引用文献１〜５からは容易に想到できるとは言えなくなる旨主張する。
（該当しない理由その１）
　「引用例１には、段落「００２６」を参照すれば「・・・遊技盤１の遊技領域６とほぼ面一状に延在して遊技球障害部材を形成した透光プラスチック製の第１球案内面１５と、表示保護面９の外方に配設され、第１球案内面１５の奥（後方）に遊技球の直径以上の間隙を配して第１球案内面１５とほぼ平行に延在して遊技球障害部材を形成した第２球案内面１６と、・・・」と記載され、段落「００４７」を参照すれば「前述した第１球案内面１５は単に透明なプラスチックで構成したが、第１球案内面１５及び第２球案内面１６を着色した透光性プラスチックで構成し、第２球案内面１６の裏側にランプや発光ダイオード等の発光源（バックライト）を設けてもよい。この様に構成すると、第１，第２球案内面１５，１６を広範囲に渡って点灯、或は点滅させることができ、従来にない装飾効果を奏することができ、発光源を面発光させると一層効果が有る。・・」と記載され」ている点、及び、「引用例１には、第１球案内面１５を透明なプラスチックで構成することが記載されていますが、第１球案内面１５を透明なプラスチックで構成した場合に、第２球案内面１６の裏側にランプや発光ダイオード等の発光源を設けることまでは記載され」ていない点から、「引用例１の第１球案内面１５を透光プラスチック製（透明なプラスチック）で構成した場合は、第２球案内面１６は、透光プラスチック製では構成せず、第２球案内面１６の裏側に発光源を設けない構成となるため、本願発明の構成要件（Ｃ−１）（Ｃ−３）の「導光部」に相当する構成だけでなく構成要件（Ｃ−２）の「前記導光部の遊技機裏面側より光を入射する光入射手段」に相当する構成も備えないものとなります。」と解釈し、「したがいまして、引用例１の第１球案内面１５を透光プラスチック製（透明なプラスチック）で構成した場合は、そもそも第２球案内面１６の後から光を照射する構成も備えなくなりますので、『・・・光源から出射された光は、光照射対象部材である「第１，第２球案内面１５，１６」に届くまでに面的に広がりながら到達する・・・』とういう動機付けの前提もなくなります。その結果、引用例１〜３に基づいても上記相違点に係る構成を容易に想到できるとは言えなくなります。」との理由（以下、「主張１」という。）。
（該当しない理由その２）
　「第１球案内面１５を透明なプラスチックで構成し、第２球案内面１６を着色した透光性プラスチックで構成することが想起できたと仮定しましても」、「引用例２は、意匠レンズ体に対して拡散透過光と拡散防止された透過光との２種類の光によって光装飾性を向上させていますが、拡散透過手段７０（拡散レンズ体７１）と拡散防止透過手段８０（光誘導体８１）を意匠レンズ体の後側に配置することによって遊技者から拡散レンズ体７１と光誘導体８１が直接目に入り難くなるように構成」しているため、「仮に引用例１に引用例２，３を適用することが想起できるとすればその理由は、引用例１の第１球案内面１５，第２球案内面１６が着色した透光性プラスチックで構成されているから、第２球案内面１６における光装飾効果を高めるために、第２球案内面１６に代えて（または第２球案内面１６の一部の領域に）拡散レンズ体７１と光誘導体８１とが一体に形成された部材を設けても、着色した透光性プラスチックによって、拡散レンズ体７１と光誘導体８１とが遊技者の視野に入りにくくなるからと推測されます。これをもし仮に、引用例１において第１球案内面１５を透明なプラスチックとし、第２球案内面１６を着色した透光性プラスチックとした構成にすれば、第２球案内面１６の代わりに配される拡散レンズ体７１と光誘導体８１は、遊技者の視野に入ってしまいますので、却って光装飾効果の妨げになります。したがいまして、引用例１において第１球案内面１５を透明なプラスチックとし、第２球案内面１６を着色した透光性プラスチックとする構成にした場合、第２球案内面１６の代わりに拡散レンズ体７１と光誘導体８１を配することは、却って光装飾効果の妨げになりますので、通常では想起されないものと思料します。」との理由（以下、「主張２」という。）。
　上記主張１について検討する。
　引用発明は、引用発明の構成ｄ、ｄ−２、ｄ−３において、「第１球案内面１５」及び「第２球案内面１６」を「着色した透光性プラスチックで構成される第１，第２球案内面１５，１６」とあるように、「第１球案内面１５」及び「第２球案内面１６」とは、着色透明とする構成を備える。
　また、「第５　本願発明と引用発明の対比」「（ｄ、ｄ−２、ｄ−３）」で説示したとおり、引用発明の「発光ダイオード等の発光源（バックライト）」は、技術常識に基づけば、発光ダイオード等の発光源を基板に実装し、当該基板をケース内に配置して実装されるものと解されること、他方、本願発明の「光入射手段」は、本願の【０１２１】等の記載によれば、発光ダイオード（ＬＥＤ８１）、発光ダイオード（ＬＥＤ８１）を実装したＬＥＤ実装基板８２及びケース部品８３から構成される手段と解されることから、引用発明の「発光ダイオード等の発光源（バックライト）」は、本願発明の「光入射手段」に相当する。
　したがって、引用発明は、周知技術１を組み合わせる動機付けの前提となる構成を有することから、上記主張１は理由がない。
　上記主張２について検討する。
　「第６　判断」「１　相違点１及び相違点２について」では、特開２００３−１５９３８３号公報（意見書でいう「引例２」）における周知技術１としての認定に際し、令和１年７月１６日付け提出の手続補正書により補正が加わったことに対応させ、当審拒絶理由における引例２の認定から、「意匠レンズ６１」を用いずに認定するよう変更した。
　そして、引用発明に周知技術１を適用した電飾効果を有する遊技機の構成として、引用発明の「第１球案内面１５」を無色透明とする点については、「第６　判断」「１　相違点１及び相違点２について」で説示したとおりであるから、上記主張２は理由がない。　
　したがって、令和１年７月１６日提出の意見書における審判請求人の主張は、いずれも理由がない。
第７　むすび
　以上のとおりであるから、本願発明は、特許法第２９条第２項の規定により特許を受けることができない。
　したがって、本願は、拒絶されるべきものである。
　よって、結論のとおり審決する。